(57)【要約】【課題】アクセサリシューとそれに併設した接続コネクタに対して着脱するアクセサリ装置の、小型で強度の高い取り付け構造を提供すること。【解決手段】係合レール溝を持つアクセサリシューに装着するアクセサリ装置であって、前記アクセサリシュー面に直交する方向に突出する接続端子部、アクセサリシューに前記溝方向の前後端面で外接する壁面と、係合爪を有し前記レール溝内を前記溝方向に進退する係合部材と、前記係合部材を所定方向に付勢する付勢手段と、前記係合部材を他方向に移動する操作を行う操作部材と、を備えることを特徴とする。【選択図】図６
2016085243.tif 000002
【特許請求の範囲】
【請求項１】
係合レール溝を持つアクセサリシューに装着するアクセサリ装置であって、
前記アクセサリシューの係合レール面に直交する方向に突出する接続端子部と、
アクセサリシューに前記溝方向の前後端面で外接する壁面と、
係合爪を有し前記レール溝内を前記溝方向に進退する係合部材と、
前記係合部材を所定方向に付勢する付勢手段と、
前記係合部材を他方向に移動する操作を行う操作部材と、
を備えることを特徴とするカメラのアクセサリ装置。
【請求項２】
前記操作部材は、
前記係合部材の進退方向に直交する方向に移動可能であり、
前記係合部材を係合するカム形状を有し、
前記カム形状は前記付勢手段による付勢力の分力方向を切り替える折曲点を有し、
前記折曲点を境に前記操作部材を付勢保持する方向を切り替えると共に、
前記係合部材の進退位置を切り替えることを特徴とする請求項１に記載のアクセサリ装置。
【請求項３】
係合爪を有し前記レール溝内を前記溝方向に進退する第一および第二の係合部材と、
前記第一第二の係合部材を前記係合爪の間隔が狭まる方向に付勢する付勢手段と、
前記第一第二の係合部材の間に介在して前記係合爪の間隔が広がる方向に移動させる操作部材を備え、
前記操作部材は、前記係合部材の進退方向に直交する方向に移動可能であり、
前記第一第二の係合部材にそれぞれ摺接する斜面部を有し、
前記摺接部の反力によって一方向に付勢されており、
前記係合爪の間隔は、前記操作部材の操作によって前記アクセサリシューの長さより広くなり、
前記操作部材を操作しない状態において前記アクセサリシューの長さより狭くなることを特徴とする請求項１に記載のアクセサリ装置。
【請求項４】
請求項１乃至請求項３の何れか一項に記載のアクセサリ装置を着脱するカメラ本体であって、
前記接続端子部は前記アクセサリシューの背面側で、
かつ、その開口面が前記レール溝の溝底面より低い位置に形成されたこと
を特徴とするカメラ。
【発明の詳細な説明】
【技術分野】
【０００１】
本発明は、カメラのアクセサリシューに着脱するアクセサリ装置及びアクセサリシューを備えたカメラに関する。
【背景技術】
【０００２】
カメラには、外部フラッシュなどのアクセサリを取り付けるためのアクセサリシューを備えているものがある。アクセサリシューは、外部フラッシュの発光タイミングを制御するためのシンクロ接点や、その他の制御信号をやり取りするためのいくつかの接点を備えている場合がある。
【０００３】
昨今、デジタルカメラの様々なアクセサリ装置の提案が成されているが、従来のアクセサリシューでは電気接点が不足するケースがある。
【０００４】
例えば、カメラ本体からファインダーを廃し、代わりに電子ビューファインダー装置をアクセサリシューに着脱可能にすることによって、カメラ本体の小型化を図る提案がある。電子ビューファインダーにはカメラ本体から被写体のモニタ画像を伝送しなければいけないから、特に高精細な画像を伝送するには多数の接点が必要になる。従来は、アクセサリシューとは別の場所に設けた映像端子から、ケーブルを使って電子ビューファインダー装置へ接続していた。
【０００５】
上述したようなケーブル接続の煩わしさを解消するために、アクセサリシューの近傍に電子ビューファインダー接続端子を併設し、アクセサリシューへの取り付け操作と同時に接続端子がカン合するようにして、ワンタッチで電子ビューファインダーを着脱できるカメラシステムが提案されている。
【先行技術文献】
【特許文献】
【０００６】
【特許文献１】特開２００８−１９９３１８号公報
【発明の概要】
【発明が解決しようとする課題】
【０００７】
上記の特許文献１には、アクセサリシュー部に対して垂直方向に外部装置（電子ビューファインダー装置など）を着脱する構造が開示されている。アクセサリシュー部内に、その垂直方向に向けてコネクタを配置しており、その挿抜に伴ってアクセサリシューのレールに外部装置の係合突起が係合して結合する旨が述べられている。
【０００８】
さて、カメラに取り付けた外部装置は、通常考えられるレベルの外力や衝撃に対して、カメラ本体との係合が問題無く保たれる強度が期待されている。特に、電気信号のコネクタ部分に障害を生じさせることの無いように、信頼性の高い機械的結合構造が求められる。
【０００９】
上記の特許文献１に示されたコネクタの配置によれば、外部装置のカメラ本体との係合は、アクセサリシューのレールに弾性付勢された突起のみであるので、外部装置に掛る外力によって、コネクタには強い曲げ力が働く懸念がある。
【００１０】
本発明は、アクセサリシューとそれに併設した接続コネクタに対して着脱するアクセサリ装置の、小型で強度の高い取り付け構造を提供することを目的とする。
【課題を解決するための手段】
【００１１】
上記目的を達するために、本発明のカメラのアクセサリ装置は、係合レール溝を持つアクセサリシューに装着し、係合レール面に直交する方向に突出する接続端子部、アクセサリシューに溝方向の前後端面で外接する壁面、係合爪を有しレール溝内を溝方向に進退する係合部材、係合部材を所定方向に付勢する付勢手段、係合部材を他方向に移動する操作を行う操作部材、とを備えることを特徴とする。
【００１２】
特に前記操作部材は、係合部材の進退方向に直交する方向に移動可能とし、係合部材を係合するカム形状を有し、カム形状により前記付勢手段による付勢力の分力方向を切り替える折曲点を設け、折曲点を境に操作部材を付勢保持する方向を切り替えると共に、係合部材の進退位置を切り替えることを特徴とする。
【００１３】
または、係合爪を有しレール溝内を溝方向に進退する第一および第二の係合部材を備え、前記第一第二の係合部材は前記係合爪の間隔が狭まる方向に付勢手段によって付勢し、一方、係合爪の間隔が広がる方向に移動させる操作部材を備えることを特徴とする。
【００１４】
特に、操作部材は係合部材の進退方向に直交する方向に移動可能とし、第一第二の係合部材にそれぞれ摺接する斜面部を有し、摺接部の反力によって一方向に付勢されていることを特徴とする。
【００１５】
係合爪の間隔は、操作部材の操作によって前記アクセサリシューの長さより広くなり、操作部材を操作しない状態において前記アクセサリシューの長さより狭くなることを特徴とする。
【発明の効果】
【００１６】
本発明によれば、アクセサリシューと接続コネクタを併用したアクセサリ装置取り付け構造に関して、小型で強度の高い取り付け構造が実現できる。
【００１７】
特に、アクセサリシューの垂直方向に向けてコネクタを配置し垂直方向にアクセサリ装置を着脱する構造において、従来のアクセサリシューを利用しながら、コネクタ部分に障害を生じさせることの無い、信頼性の高い機械的結合構造が実現される。
【図面の簡単な説明】
【００１８】
【図１】第一の実施形態におけるデジタルカメラとファインダー装置の外観図である。
【図２】第一の実施形態におけるデジタルカメラとファインダー装置のブロック図である。
【図３】第一の実施形態におけるファインダー装置取り付け部の外観図である。
【図４】アクセサリの取付方法を説明する外観図である。
【図５】接続コネクタの配置を説明するデジタルカメラの断面図である。
【図６】第一の実施形態におけるファインダー装置の外観図である。
【図７】第一の実施形態におけるファインダー装置の分解斜視図である。
【図８】第一の実施形態におけるファインダー装置の断面図である。
【図９】第一の実施形態におけるファインダー装置のロック機構の動作を説明する図である。
【図１０】第一の実施形態におけるファインダー装置の取付状態を説明する図である。
【図１１】第一の実施形態におけるファインダー装置の取付状態を説明する側面図である。
【図１２】第二の実施形態におけるデジタルカメラとファインダー装置の外観図である。
【図１３】第二の実施形態におけるファインダー装置取り付け部の外観図である。
【図１４】第二の実施形態におけるファインダー装置の外観図である。
【図１５】第二の実施形態におけるファインダー装置の分解斜視図である。
【図１６】第二の実施形態におけるファインダー装置の断面図である。
【図１７】第二の実施形態におけるファインダー装置のロック機構の動作を説明する図である。
【図１８】第二の実施形態におけるファインダー装置の取付状態を説明する図である。
【図１９】第二の実施形態におけるファインダー装置の取付状態を説明する側面図である。
【発明を実施するための形態】
【００１９】
以下、本発明を実施するための形態を図面に基づいて詳しく説明する。
【００２０】
＜第１の実施形態＞
図１は、本実施形態におけるデジタルカメラ１００、および後述する着脱可能な電子ビューファインダー装置１０１（以下、ファインダー装置１０１）の外観を示す。
【００２１】
本実施形態に示すデジタルカメラ１００はレンズ２０１を着脱可能なレンズ交換式カメラであって、図１はレンズ２０１が装着された様子を表す。図１Ａは正面からの俯瞰図であり、ファインダー装置１０１をデジタルカメラ１００に装着した状態にある図である。図１Ｂは背面からの俯瞰図であり、ファインダー装置１０１はデジタルカメラ１００から分離された状態を表す。なお、本ファインダー装置２０１は後述するようにヒンジ機構によって接眼鏡筒部のチルト角を調整可能であり、図１Ａのように好みに応じて傾けて使用することが出来る。
【００２２】
また、ファインダー装置１０１は、デジタルカメラ１００本体側の接続コネクタ２２１Ａに、ファインダー装置１０１の接続コネクタ２２１Ｂをカン合することによって電気的接続を行うものである。
【００２３】
図２は本デジタルカメラ１００、およびファインダー装置１０１のシステム構成を説明するブロック図である。図１および図２に基づいて、本デジタルカメラ１００およびファインダー装置１０１の構成を説明する。
【００２４】
本実施形態のデジタルカメラ１００は、電源ボタン２１２を操作して電源ＯＮすると撮影待機状態となる。まず、レンズ２０１を通した被写体光学像を撮像素子２０３にて電気信号（撮像信号）に変換し、画像処理部２０４に送出する。シャッター２０２は、遮蔽幕を開閉することによって撮像素子２０３の露光時間を調整するものであるが、撮影待機状態においてシャッター２０２は開放されている。画像処理部２０４は、前記撮像信号に所定の現像処理を施してモニタ信号生成部２０５へ送出する。
【００２５】
モニタ信号生成部２０５にて生成したモニタ信号は、デジタルカメラ１００本体のモニタ画像生成部２０７およびファインダー装置１０１のモニタ画像生成部２０８に伝送される。モニタ画像生成部２０７、２０８は、モニタ信号を変換し、それぞれＬＣＤ２１０、２１１に表示可能な信号を生成する。使用者による切替スイッチ２０９の操作によって、デジタルカメラ１００本体のＬＣＤ２１０とファインダー装置１０１のＬＣＤ２１１のいずれかが、選択的に駆動されて画像を表示する。
【００２６】
なお、図１Ｂのようにファインダー装置１０１がデジタルカメラ１００に装着されていない場合は、切替スイッチ２０９の操作に関わらず、デジタルカメラ１００本体のＬＣＤ２１０が駆動されて画像を表示する。
【００２７】
一方、以上の一連の動作と並行して、ＴＶＡＦ方式によってフォーカス駆動部２１４がフィードバック制御され、被写体に対して合焦状態を維持する。
【００２８】
このようにしてＬＣＤ２１０、または２１１の表示画像が所定間隔で更新されることによって、使用者が被写体像の観察を行うことができる。
【００２９】
撮影待機状態において使用者がレリーズボタン２１３を操作すると、デジタルカメラ１００は静止画撮影動作を実行する。
【００３０】
レリーズボタン２１３がＯＮされると、フォーカス駆動部２１４を駆動して合焦位置でレンズを固定し、被写体の明るさを測って露出を決定する。次に、シャッター２０２を閉鎖する。撮像素子２０３をリセットした後、シャッター２０２を開放して撮像素子２０３の露光を開始し、所定時間の後、シャッター２０２を再度閉鎖して露光を終了する。こうして撮像素子２０３により被写体像が静止画像として撮像され、撮像信号として画像処理部２０４に送出される。
【００３１】
シャッター２０２を開放する時間は、制御部２１５により自動露出で算出された値か、あるいは使用者の操作によって選択される値である。画像処理部２０４は、撮像信号をＪＰＥＧなどの所定の静止画ファイル形式に変換し、メモリ制御部２１６を介してメモリカード２１７に記録する。
【００３２】
さらに、撮像信号はモニタ信号生成部２０５へ送られ、先の説明の通り、最終的にＬＣＤ２１０、または２１１に静止画像として表示される。撮影結果を確認した後、ＬＣＤ２１０または２１１の表示は所定時間後あるいは使用者の操作によってリセットされ、先述の撮影待機状態となる。
【００３３】
制御部２１５は本デジタルカメラ１００の各部の動作を司るが、接続コネクタ２２１を介してファインダー装置１０１の制御部２１８とも通信し、必要な指令を出す。また、電源制御部２１９は本デジタルカメラ１００の各部に給電すると共に、同じく接続コネクタ２２１を介してファインダー装置１０１に給電する。ファインダー装置１０１の電源制御部２２０は、ファインダー装置１０１各部の電源管理を行う。
【００３４】
なお、本デジタルカメラ１００は、ファインダー装置１０１を着脱自在に接続するための接続コネクタ２２１と共に、アクセサリシュー２２２を備えている。
【００３５】
図３に本デジタルカメラ１００のファインダー装置１０１取り付け部を示す。ファインダー装置１０１取り付け部は、アクセサリシュー２２２と接続コネクタ２２１Ａとで構成されている。
【００３６】
アクセサリシュー２２２は、フラッシュ装置などのアクセサリを係合させるための一対のレール形状を形成するシュー金具３０１を備える。また、フラッシュ装置を装着された場合に通信するためのシンクロ接点３０２、および他の制御信号をやり取りする制御端子３０３を配し、それぞれデジタルカメラ１００の制御部２１５に接続されている。
【００３７】
シュー金具３０１は、板金を折り曲げて向い合せにレール形状を形成するものであり、本デジタルカメラ１００における前後面側にレールの開放端を持つ。デジタルカメラ１００前面側には、アクセサリの装着位置を規制する係止片３０４と、体裁面を形成する外装３０５を設けている。すなわち、図４に示すように、アクセサリはデジタルカメラ１００の後面側から前方側に向けてシュー金具３０１のレールに挿入する。アクセサリの挿入深さは係止片３０４で規制される。フラッシュ装置の場合は、その挿入端において、シンクロ接点３０２および制御接点３０３がアクセサリ側の対応端子（図示せず）と導通して使用可能となる。
【００３８】
また、アクセサリシュー２２２の前方側に、後述するファインダー装置１０１が係合する係合部３０６を設けている（図３）。
【００３９】
図５に本デジタルカメラ１００の断面図を示し、接続コネクタ２２１Ａの配置について説明する。図５はデジタルカメラ１００本体からレンズ２０１を取り外した状態を示している。
【００４０】
接続コネクタ２２１Ａは、その開口部をデジタルカメラ１００上面に向けて配置している。アクセサリシュー２２２は、レンズマウント５０１や撮像素子２０３を保持する主フレーム５０２直上に配置し、図示しない締結手段によって主フレーム５０２に固定されている。接続コネクタ２２１Ａは小基板５０４に実装され、撮像素子２０３とＬＣＤ２１０との間に主基板５０３と共に配置している。すなわち、アクセサリシュー２２２より後方側に接続コネクタ２２１Ａを配している。接続コネクタ２２１Ａは、小基板５０４を介して、フレキシブル基板（図示せず）を用いて主基板５０３に接続している。
【００４１】
特に、接続コネクタ２２１Ａの開口面は、アクセサリシュー２２２の接点面５０５に対して低くなるように配置している。図５においては、Ｈで示すように面の高低差を設けている。これにより、図４のようなアクセサリの着脱操作時において十分なクリアランスを与え、アクセサリがぶつかるなどの衝撃やストレスにより発生する接続コネクタ２２１Ａに障害が生じるのを避けている。
【００４２】
それでは、図６にファインダー装置１０１の外観を示す。図６Ａおよび図６Ｂは、それぞれファインダー装置１０１の前方および後方の俯瞰図である。ファインダー装置１０１は、デジタルカメラ１００に取り付けるための取り付け基部６０１と、ＬＣＤ２１１を含む接眼光学系を収めた鏡筒部６０２とを、ヒンジ機構６０８を介して接続した構造を採っている。すなわち、例えば０°から９０°の範囲で鏡筒部６０２を好みの角度に傾けて使用することができる。
【００４３】
図６Ｃおよび図６Ｄは取り付け基部６０１の下面、すなわちデジタルカメラ１００との接合面を望む俯瞰図である。取り付け基部６０１には、ファインダー装置１０１をアクセサリシュー２２２に係合固定するための後述するロック機構と、接続コネクタ２２１Ａにカン合し電気的接続をする接続コネクタ２２１Ｂが配置されている。接続コネクタ２２１Ｂは、取り付け基部６０１下方に向けて突出しており、他方、デジタルカメラ１００本体の接続コネクタ２２１Ａは上方に向けて開口している。すなわちファインダー装置１０１は、デジタルカメラ１００の上面に垂直方向から接続コネクタ２２１をカン合させて装着するものである。
【００４４】
アクセサリシュー２２２に係合する係合爪６０３は、操作ノブ６０４および６０５の操作に応じて、取り付け基部６０１から４箇所で出没する。図６Ｃは係合爪６０３が没入した状態を示し、これはファインダー装置１０１をデジタルカメラ１００から着脱できるロック機構退避状態（以降、アンロック状態）である。一方、図６Ｄは係合爪６０３が延出した状態を示し、これはファインダー装置１０１をデジタルカメラ１００に係合爪６０３を係合させたロック状態（以降、ロック状態）である。アンロック状態、ロック状態については、図９から図１１を用いて後述する。
【００４５】
また、アクセサリシュー２２２に対して取り付け基部６０１の位置を決める位置決めピン６０６と、後述するシュー金具３０１当接面６０７を設けている。
【００４６】
さて、取り付け基部６０１の構造詳細を説明する。図７は取り付け基部６０１の分解斜視図である。図８は同じく取り付け基部６０１の断面図である。
【００４７】
係合爪６０３は、付勢ばね７０３が当接するばね受け面７０１と、操作プレート７０４の摺動面７０２を備える板金部品である。摺動面７０２には摺動ピン７０５を立設し、他方、操作プレート７０４には摺動ピン７０５に対応するカム溝７０６を設けている。操作プレート７０４両端には操作ノブ６０４、６０５をビス止めしている。付勢ばね７０３の他端は、下ケース７０７に立設したリブ７１０に当接し、従って図８の如く、係合爪６０３は下ケース７０７に対して没入方向に付勢されている。さらに、係合爪６０３は下ケース７０７とスペーサ７０９とで摺動自在に保持されている。接続コネクタ２２１Ｂはフレキシブル基板に実装され、フレキ保持部材７１１を介して下ケース７０７に保持している。最終的に、下ケース７０７にヒンジ機構６０８および上ケース７０８をビスで固定して、取り付け基部６０１が構成されている。
【００４８】
図９は本ロック機構の動作を説明する図である。図９は、取り付け基部６０１を上面から見て、係合爪６０３と操作プレート７０４の関係を示すものである。図９の上側は、デジタルカメラ１００の前方側である。以下、ロック機構の動作を説明する。図９Ａは図６Ｃと同じくアンロック状態、図９Ｃは図６Ｄと同じくロック状態を表す。図９Ｂは、アンロック状態とロック状態との切替点の状態を示す。なお、操作プレート７０４は、下ケース７０７に設けたガイドリブによって、図９において上下方向、または紙面垂直方向への移動を規制されている。つまり図９における左右方向への移動のみが可能となっている。ガイドリブは図を簡潔にするために省略する。
【００４９】
図９Ａにおいて、操作プレート７０４は作動範囲の右端位置にある。従って、操作ノブ６０５が没入し、他方の操作ノブ６０４が突出している状態にある。係合爪６０３は付勢ばね７０３によって下ケース７０７に対して没入方向、つまり図９で見て下方向に付勢されているため、カム溝７０６に摺動ピン７０５が摺接する分力によって、操作プレート７０４の位置が右方向に付勢して保持される。
【００５０】
次に、摺動ピン７０５の摺接分力に抗して操作ノブ６０４を押し込んでいくと、カム溝７０６に倣って係合爪６０３が前方に移動する。図９Ｂの切替点において係合爪６０３は最も前進した位置になり、従って付勢ばね７０３が最大圧縮となる。切替点を超えて操作ノブ６０４を押し込むと、カム溝７０６形状に倣って係合爪６０３が少し後退しながら、摺動ピン７０５の摺接分力が操作プレート７０４を左方向に付勢する方向に変化する。切替点を超えるまでは操作プレート７０４には右方向に付勢力が働くので、操作ノブ６０４の押し込み操作を途中で止めると、操作プレート７０４は図９Ａのアンロック位置まで戻る。
【００５１】
切替点を超えると、操作プレート７０４は付勢力によって図９Ｃに示すロック位置に達し、摺動ピン７０５の摺接分力によって、操作プレート７０４の位置を左方向に付勢して保持する。この時、操作ノブ６０５が突出し、他方の操作ノブ６０４が没入している状態となる。このようにして、ロック動作を完了する。
【００５２】
逆に、図９Ｃのロック状態から、摺動ピン７０５の摺接分力に抗して操作ノブ６０５を押し込んで図９Ｂ切替点を超えると、摺動ピン７０５の摺接分力が操作プレート７０４を右方向に付勢する方向に変化し、操作プレート７０４は図９Ａのアンロック位置まで自動で戻る。これがアンロック操作である。
【００５３】
さて図１０および図１１は、上述した取り付け基部６０１とアクセサリシュー２２２のカン合状態を説明する図である。図１０Ａおよび図１１Ａは、図６Ｃ、図９Ａに示すものと同じアンロック状態である。一方、図１０Ｂおよび図１１Ｂは、図６Ｄ、図９Ｃに示すものと同じロック状態である。
【００５４】
図１０Ａに示す通り、ロック機構がアンロック状態にある時は係合爪６０３がシュー金具３０１および係合部３０６から退避しており、ファインダー装置１０１を垂直方向に着脱することが可能となる。ファインダー装置１０１を装着するに当たっては、図１１Ａに示すように垂直方向に接続コネクタ２２１Ａと２２１Ｂがカン合すると共に、シュー金具３０１の前後端面に当接面６０７が当接する。シュー金具３０１天面と下ケース７０７の下面６０９が接する状態において、上述したロック操作を行うと図１０Ｂ、図１１Ｂの通りロック状態となる。下ケース７０７から突出した係合爪６０３が、シュー金具３０１後端部と外装３０５に設けた係合部３０６に４箇所で係合してロック状態を成す。
【００５５】
図１１Ｂの通り、シュー金具３０１の前後端面に当接した当接面６０７と前記４箇所の係合部とで、ファインダー装置１０１が強固にアクセサリシュー２２２に固定されるので、接続コネクタ２２１にストレスが掛らず高い信頼性を得ることができる。
【００５６】
＜第２の実施形態＞
次に、本発明の第二の実施形態について説明する。図１２は、本実施形態におけるデジタルカメラ１２００、および着脱可能な電子ビューファインダー装置１２０１（以下、ファインダー装置１２０１）の外観を示す。図１２Ａは正面からの俯瞰図であり、ファインダー装置１２０１をデジタルカメラ１２００に装着した状態にある図である。図１２Ｂは背面からの俯瞰図であり、ファインダー装置１２０１はデジタルカメラ１２００から分離された状態を表す。第一の実施形態と同様に、ファインダー装置１２０１は接続コネクタ２２１Ａに接続コネクタ２２１Ｂをカン合することによって電気的接続を行うものである。
【００５７】
本実施形態に示すデジタルカメラ１２００およびファインダー装置１２０１は、第一の実施形態にて説明したデジタルカメラ１００およびファインダー装置１０１に対して、その取り付け部の構造が異なる。主要な構成は第一の実施形態と同じであるため、同一の構成要素には同一の符号を付すことで、ここでの説明は省略する。特にシステム構成は第一の実施形態と同様であるので、以降の説明において図２を参照しながら説明をする。
【００５８】
図１３に本デジタルカメラ１２００のファインダー装置１２０１取り付け部を示す。第一の実施形態と同様に、ファインダー装置１２０１取り付け部はアクセサリシュー１２０２と接続コネクタ２２１Ａとで構成されている。
【００５９】
アクセサリシュー１２０２は、アクセサリを係合させるための一対のレール形状を持つシュー金具１３０１を備える。また、装着されたアクセサリに給電するシンクロ接点３０２と、制御信号をやり取りする制御端子３０３を配し、それぞれデジタルカメラ１２００の電源制御部２１９、制御部２１５と接続されている。
【００６０】
シュー金具３０１は、板金を折り曲げて向い合せにレール形状を形成するものであり、本デジタルカメラ１２００における前後面側にレールの開放端を持つ。
【００６１】
アクセサリは、図４と同様に、デジタルカメラ１２００の後面側からシュー金具１３０１に挿入する。アクセサリは、シュー金具１３０１の後方端に当接するまで挿入し、その挿入位置において、シンクロ接点３０２および制御端子３０３がアクセサリ側の対応端子（図示せず）と導通し、アクセサリが使用可能となる。
【００６２】
図１３に示すように、シュー金具１３０１の前方側は壁を設けず開放されている。また、アクセサリシュー１２０２より後方側には第一の実施形態と同様に接続コネクタ２２１Ａを配している。さらに、図１３の通り、アクセサリシュー１２０２の接点面に対して接続コネクタ２２１Ａの開口面を高低差Ｈを設けて配置している。
【００６３】
図１４にファインダー装置１２０１の外観を示す。図１４Ａおよび図１４Ｂは、それぞれファインダー装置１２０１の前方および後方の俯瞰図である。ファインダー装置１２０１は、デジタルカメラ１２００に取り付けるための取り付け基部１４０１と、ＬＣＤ２１１を含む接眼光学系を収めた鏡筒部１４０２とを、ヒンジ機構１４０３を介して接続した構造を採っている。
【００６４】
図１４Ｃおよび図１４Ｄは取り付け基部１４０１の下面、すなわちデジタルカメラ１２００との接合面を望む俯瞰図である。取り付け基部１４０１には、ファインダー装置１２０１をアクセサリシュー１２０２に係合固定するための後述するロック機構と、接続コネクタ２２１Ａにカン合し電気的接続をする接続コネクタ２２１Ｂが配置されている。第一の実施形態と同じく、ファインダー装置１２０１はデジタルカメラ１２００の上面に垂直方向から接続コネクタ２２１Ａ、２２１Ｂをカン合させて装着するものである。
【００６５】
シュー金具１３０１に係合する係合爪１４０４、１４１０は、操作ノブ１４０５を操作することによって、それぞれ後述する方向へ、取り付け基部１４０１の下面１４０６に並行に移動する。図１４Ｃは、操作ノブ１４０５を操作しない定常状態であり、この時、係合爪１４０４、１４１０はシュー金具１３０１に係合する位置にある状態（以降、ロック状態）である。図１４Ｄは、操作ノブ１４０５を操作することによって、後述するように係合爪１４０４、１４１０が移動してシュー金具１３０１との係合が解除される状態（以降、アンロック状態）である。
【００６６】
さらに、取り付け基部１４０１の位置を決める位置決めピン１４０７、１４０８と、後述するシュー金具１３０１への当接面１４０９を設けている。
【００６７】
取り付け基部１４０１の構造詳細を説明する。図１５Ａは取り付け基部１４０１の分解斜視図である。図１５Ｂは係合爪部の構成を示す斜視図である。図１６は同じく取り付け基部１４０１の断面図である。
【００６８】
付勢ばね１５０１の一端は、係合爪１４０４のばね受け面１５０２に接し、他端は係合爪１４１０のばね受け面１５０３に接する。係合爪１４０４、１４１０は、図１５Ｂのように重ね合わせて配置し、付勢ばね１５０１が介在することによって、シュー金具１３０１に係合する係合部の距離Ｌが狭くなる方向に付勢されている。係合爪１４１０には操作プレート１５０４が摺動する摺動面１５０５を設け、摺動面１５０５には摺動ピン１５０６を立設している。他方、操作プレート１５０４には、摺動ピン１５０６に対応するカム溝１５０７を設けている。操作プレート１５０４の一端に操作ノブ１４０５をビス止めしている。
【００６９】
図１６に示すように、係合爪１４０４、１４１０は、下ケース１５０９とスペーサ１５１１とで摺動自在に保持されている。また、付勢ばね１５０１のばね力によって、係合爪１４０４、１４１０は、ばね受け面１５０２と立ち曲げ面１５０８が、それぞれ下ケース１５０９に立設したリブ１５１０に当接した位置に保持される。これが、図１４Ｃに示すロック状態での、係合爪１４０４、１４１０の状態である。
【００７０】
また、第一の実施形態と同じく、接続コネクタ２２１Ｂはフレキシブル基板に実装され、フレキ保持部材７１１を介して下ケース１５０９に保持している。最終的に、下ケース１５０９にヒンジ機構１４０３および上ケース１５１２をビスで固定して、取り付け基部１４０１が構成されている。
【００７１】
図１７は本ロック機構の動作を説明する図である。図１７は、取り付け基部１４０１を上面から見て、係合爪１４０４、１４１０と操作プレート１５０４の関係を示すものである。図１８の上側は、デジタルカメラ１２００の前方側である。以下、ロック機構の動作を説明する。なお、第一の実施形態と同様に、操作プレート１５０４は下ケース１５０９に設けたガイドリブによって図１７における左右方向への移動のみが可能となっている。ガイドリブは図を簡潔にするために省略する。
【００７２】
図１７Ａは、図１４Ｃ、図１６と同じくロック状態を表している。図１７Ｂは図１４Ｄと同じくアンロック状態を表す。図１７Ａにおいて、操作プレート１５０４は作動範囲の右端位置にあり、操作ノブ１４０５がケースから突出している状態にある。係合爪１４０４、１４１０は、付勢ばね１５０１によって係合部の距離Ｌが狭くなる方向に付勢されており、先の説明の通り、リブ１５１０に当接したロック位置にあって、係合部間の距離はＬ１となっている。この時、カム溝１５０７に摺動ピン１５０６が摺接する分力、および付勢ばね１５１３のばね力によって、操作プレート１５０４は右方向に付勢して保持される。
【００７３】
次に操作ノブ１４０５を押し込んでいくと、カム溝１５０７に摺動ピン１５０６が倣い、付勢ばね１５０１のばね力に抗して係合爪１４１０を距離Ｌが拡がる方向に、つまり図１７において下方向に移動させる。同時に、操作プレート１５０４に設けた楔形状部１７０１がばね受け面１５０２を押し上げていき、付勢ばね１５０１のばね力に抗して係合爪１４０４を距離Ｌが拡がる方向、つまり図１７において上方向に移動させる。
【００７４】
図１７Ｂは、操作ノブ１４０５の最大押し込み時を示している。この時、係合部の距離Ｌが最大のＬ２となり、付勢ばね１５０１、１５１３は共に最大圧縮状態となる。この状態がアンロック状態であり、操作ノブ１４０５を押し込み続けている間は保持される。操作ノブ１４０５から指を離すと、付勢ばね１５１３のばね力、摺動ピン１５０６および楔形状部１７０１の摺接分力によって、操作プレート１５０４は図１７Ａに示すロック位置まで押し戻される。すなわち、操作ノブ１４０５を操作しない限りは、常に図１７Ａのロック状態にある。
【００７５】
さて図１８および図１９は、上述した取り付け基部１４０１とシュー金具１３０１のカン合状態を説明する図である。図１８Ａは、図１４Ｃ、図１７Ａに示すものと同じロック状態である。一方、図１８Ｂは、図１４Ｄ、図１７Ｂに示すものと同じアンロック状態である。
【００７６】
操作ノブ１４０５を押し込むと、図１７Ｂで説明した通りに係合爪１４０４、１４１０が移動して係合部間が距離Ｌ２に開く。図１８Ｂの通りに、距離Ｌ２はシュー金具１３０１のレール方向の長さＬｋより広く、従って取り付け基部１４０１をシュー金具１３０１に対して垂直方向に着脱することが可能となるのである。
【００７７】
ファインダー装置１２０１を装着する手順を説明する。操作ノブ１４０５を押し込んだ状態にて、図１９に示すように垂直方向に接続コネクタ２２１Ａと２２１Ｂをカン合させつつ、シュー金具１３０１に取り付け基部１４０１を載置する。シュー金具１３０１天面と下ケース１５０９の下面１４０６が接する状態において、シュー金具１３０１の前後端面に当接面１４０９も当接する。この状態にて操作ノブ１４０５から指を離すと、図１７Ａの説明の通りに係合爪１４０４、１４１０がロック位置に移動し、図１８Ａの如く係合爪１４０４、１４１０がシュー金具１３０１に係合する。つまり、係合部間距離Ｌ１はシュー金具の長さＬｋより狭くなっている。
【００７８】
ファインダー装置１２０１を取り外すには、操作ノブ１４０５を押し込んだ状態のまま、シュー金具１３０１の垂直方向に引き抜けばよい。
【００７９】
以上の通り、シュー金具１３０１の前後端面に当接した当接面１４０９、下ケース下面１４０６、さらに先述の係合爪１４０４、１４１０とで、ファインダー装置１０１が強固にシュー金具１３０１に固定されるので、接続コネクタ２２１にストレスが掛らず高い信頼性を得ることができる。
【００８０】
なお、第一および第二の実施形態に説明した取り付け構造は、ファインダー装置１０１、１２０１に限らずとも、例えば外部マイク装置や無線通信装置など、様々な着脱装置に適用可能であることは明らかである。
【符号の説明】
【００８１】
１００，１２００  デジタルカメラ、１０１，１２０１  ファインダー装置、
１０１，２２１  接続コネクタ、２２２，１２０２  アクセサリシュー、
３０１，１３０１  シュー金具、３０１，６０３，１４０４，１４１０  係合爪、
６０３，６０４，６０５，１４０５  操作ノブ
【図１】
2016085243.tif 000003
【図２】
2016085243.tif 000004
【図３】
2016085243.tif 000005
【図４】
2016085243.tif 000006
【図５】
2016085243.tif 000007
【図６】
2016085243.tif 000008
【図７】
2016085243.tif 000009
【図８】
2016085243.tif 000010
【図９】
2016085243.tif 000011
【図１０】
2016085243.tif 000012
【図１１】
2016085243.tif 000013
【図１２】
2016085243.tif 000014
【図１３】
2016085243.tif 000015
【図１４】
2016085243.tif 000016
【図１５】
2016085243.tif 000017
【図１６】
2016085243.tif 000018
【図１７】
2016085243.tif 000019
【図１８】
2016085243.tif 000020
【図１９】
2016085243.tif 000021